(57)【要約】【課題】アース端子コードが分離可能であり、さらに作業の邪魔にならない形態でアース端子コードをプラグ本体に接続できる差込みプラグを提供する。【解決手段】ホルダ（２０）の前面に一対の電源端子刃（１１ａ，１１ｂ）とアースピン（１２）とを有する。プラグ本体（２）は、ホルダの後端から電源端子刃とアースピンとに電気的に接続された電源ケーブル（１０）が延出しているものである。アース端子コード（３）は、プラグ本体と分離して設けられ、コード（３１）の一端に接続されたクリップ（３２）と他端に接続された接続端子（３０）とを有する。アース端子コードとプラグ本体とを着脱可能に接続する連結手段とを備える。ホルダの外面には凹部（２２）が形成され、凹部にはアースピンに電気的に接続された外部接続端子（２１）が露出しており、連結手段はアース端子コードの接続端子と外部接続端子とを凹部内で接続するものである。【選択図】図１
0003190664.tif 000002
【実用新案登録請求の範囲】
【請求項１】
ホルダの前面に一対の電源端子刃とアースピンとを有し、前記ホルダの後端から前記電源端子刃と前記アースピンとに電気的に接続された電源ケーブルが延出しているプラグ本体と、
前記プラグ本体と分離して設けられ、コードの一端に接続されたクリップと他端に接続された接続端子とを有するアース端子コードと、
前記アース端子コードと前記プラグ本体とを着脱可能に接続する連結手段とを備え、
前記ホルダの外面には凹部が形成され、前記凹部には前記アースピンに電気的に接続された外部接続端子が露出しており、前記連結手段は前記アース端子コードの前記接続端子と前記外部接続端子とを前記凹部内で接続するものである、差込みプラグ。
【請求項２】
前記アース端子コードの前記コードは、前記プラグ本体に接続されている状態において前記接続端子を起点として前記電源ケーブルに沿って長手方向に延在している請求項１記載の差込みプラグ。
【請求項３】
前記凹部は、上部及び後部が開放されて前面と底面と対向する２つの側面とにより形成される請求項１又は２記載の差込みプラグ。
【請求項４】
前記連結手段は、前記外部接続端子に螺合するネジを含み、前記アース端子コードの前記接続端子は前記ネジを受け入れるＵ字状の端子である請求項１〜３のいずれかに記載の差込みプラグ。
【請求項５】
前記凹部の深さは、前記ネジを締め込んだときの前記ネジの頂部が凹部内に収まる深さである請求項４記載の差込みプラグ。
【請求項６】
前記連結手段は前記接続端子と前記外部接続端子とを互いに嵌り合う嵌合形状とすることを含む請求項１〜４のいずれかに記載の差込みプラグ。
【考案の詳細な説明】
【技術分野】
【０００１】
この考案は、アース端子付きの差込みプラグに関するものである。
【背景技術】
【０００２】
一般に工場や建設現場で使用される電動工具、機器類及びケーブルドラム等には、漏電を防ぐためにアース端子付き差込みプラグを用いている。実公平６−３８３８０号公報（特許文献１）及び特開２００２−１６４１２８号公報（特許文献２）には、アース分岐コードとプラグが一体として形成されている差込みプラグが開示されている。
【０００３】
図６は、特許文献１の従来の差込みプラグを示す断面図である。図６に示すように、差込みプラグ１００は、接地極の穴を有する電源コンセントに差込むものであり、ホルダ１２０と電源ケーブル１１０とからなる。このホルダ１２０の前面には、一対の電源端子刃１１１とアースピン１１２とが取付けられている。一対の電源端子刃１１１はコンセントの一対の縦長の穴に差込まれ、アースピン１１２はコンセントの接地極の穴に差込まれる。
【０００４】
このような接地極の穴を有するコンセントに差込みプラグ１００を使用する場合は、アースピン１１２を突出させたままで使用できる。しかし、接地極の穴を有さないコンセントを使用する場合には、アースピン１１２が邪魔になり電源端子刃１１１をコンセントに差込むことができない。このような場合は、アースピン１１２の取り付け端部の軸１１７を支点にアースピン１１２を回動して折り曲げることにより、ホルダ１２０の前面に形成された収納部１１３にアースピン１１２を収納し、接地極付の穴を有さない通常の電源コンセントに差込むことができる。
【０００５】
このホルダ１２０は、その内部を樹脂で覆われている。そして、電源端子刃１１１は、ホルダ１２０の内部で電源ケーブル１１０から引出された電線１１５にそれぞれ接続されている。電源ケーブル１１０から引出されたアース線１１４も、ホルダ１２０の内部で係止部１１６を介してアースピン１１２とアース分岐コード１２１に接続されている。アース分岐コード１２１は、ホルダ１２０の内部でアース線１１４に接続され、ホルダ１２０の外部に導出されている。さらに、アース分岐コード１２１がホルダ１２０から導出する付け根部分もホルダ１２０の内部と同じ樹脂で覆われている。アースピン１１２が使用できない場合は、コンセントに形成された接地極やアース機能を有する部位にアース分岐コード１２１を接続することで、アースを取ることが可能である。
【０００６】
また、アース分岐コードとプラグが一体成形されていない差込みプラグとして、例えば実開平５−９０８５７号公報（特許文献３）が開示されている。この差込みプラグも、接地極の穴を有する電源コンセントに差込むものであり、ホルダと電源ケーブルとからなる。このホルダの前面には、一対の電源端子刃と突没自在のアースピンとが取付けられている。この一対の電源端子刃は対応する一対のコンセントの縦長の穴に差込まれ、アース端子ピンはコンセントの接地極の穴に差込まれる。
【０００７】
接地極の穴を有するコンセントに差込みプラグを差込んで使用する場合には、アースピンを突出させたままで使用できる。しかし、接地極の穴を有さないコンセントを使用する場合には、アースピンは差込み面で押圧されてプラグの内部に挿入される。これにより、アースピンが突出していないので、接地極の穴を有さない通常の電源コンセントにも差込みプラグを差込むことができる。
【０００８】
ここで一対の電源端子刃は、電源ケーブルから引出された電線にそれぞれ接続される。そして、電源ケーブルから引出されたアース線は、アースピンと端子口に接続される。アース分岐コードは、プラグと着脱可能に形成され、プラグの外周面に設けられた端子口に挿入することができる。この端子口はアース線が接続されているため、アース分岐コードをプラグの端子口に差込むことで、アース分岐コードはアース機能を有する。また、アース分岐コードを端子口に接続する方向は、差込みプラグをコンセントに差込む方向と直交する方向である。アースピンが使用できない場合は、アース分岐コードの一端を端子口に差込み、他端をコンセントに形成された接地極やアース機能を有する部位に接続することで、アースを取ることが可能である。
【先行技術文献】
【特許文献】
【０００９】
【特許文献１】実公平６−３８３８０号公報
【特許文献２】特開２００２−１６４１２８号公報
【特許文献３】実開平５−９０８５７号公報
【考案の概要】
【考案が解決しようとする課題】
【００１０】
特許文献１及び２の差込みプラグは、アース分岐コード１２１とホルダ１２０が一体成形され、アース分岐コード１２１は、ホルダ１２０の内部でアース線１１４に接続され、差込みプラグ１００の外部に導出されている。そのため、使用時の疲労破壊によりアース分岐コード１２１が根元から取れてしてしまうおそれがある。また、ホルダ１２０の内部からアース分岐コード１２１の付け根まで樹脂で覆われているため、アース分岐コード１２１が取れてしまっても、再度付け替えすることもできない。
【００１１】
特許文献３の差込みプラグは、アース分岐コードとプラグを着脱自在に接続できるが、アース分岐コードをプラグに接続する方向は、差込みプラグをコンセントに差込む方向と直交している。さらに、端子口が外周面に形成されているため、アース分岐コードとプラグを接続した際に、アース分岐コードは外周面から径方向に大きく突出する。そのため、使用時にアース分岐コードがひっかかって外れてしまい、現場において作業の邪魔になるおそれがある。
【００１２】
本考案は、上記のような課題を解決するためになされたものであって、その目的は、アース端子コードが分離可能であり、さらに作業の邪魔にならない形態でアース端子コードを接続できる差込みプラグを提供することである。
【課題を解決するための手段】
【００１３】
この考案に係る差込みプラグは、プラグ本体とアース端子コードと連結手段とを備える。プラグ本体は、ホルダの前面に一対の電源端子刃とアースピンとを有し、ホルダの後端から電源端子刃とアースピンとに電気的に接続された電源ケーブルが延出するものである。アース端子コードは、プラグ本体と分離して設けられ、コードの一端に接続されたクリップと他端に接続された接続端子とを有する。連結手段は、アース端子コードとプラグ本体とを着脱可能に接続するものである。そして、ホルダの外面には凹部が形成され、凹部にはアースピンに電気的に接続された外部接続端子が露出しており、連結手段はアース端子コードの接続端子と外部接続端子とを凹部内で接続するものである。
【００１４】
好ましくは、アース端子コードのコードは、プラグ本体に接続されている状態において接続端子を起点として電源ケーブルに沿って長手方向に延在している。
【００１５】
さらに好ましくは、凹部は、上部及び後部が開放されて前面と底面と対向する２つの側面とにより形成される。
【００１６】
連結手段は、第一実施形態として、外部接続端子に螺合するネジを含み、アース端子コードの接続端子はネジを受け入れるＵ字状の端子である。好ましくは、凹部の深さは、ネジを締め込んだときのネジの頂部が凹部内に収まる深さである。
【００１７】
連結手段は他の実施形態として、接続端子と外部接続端子とを凹部内で互いに嵌り合う嵌合形状とすることを含む。
【考案の効果】
【００１８】
本考案によれば、アース端子コードをプラグ本体に接続した際、アース端子コードがホルダの外周から径方向に大きく突出せず作業の邪魔にならない差込みプラグを提供することができる。
【図面の簡単な説明】
【００１９】
【図１】本考案の実施の形態に係る差込みプラグを示す斜視図である。
【図２】図１の差込みプラグの側面図である。
【図３】図２の差込みプラグの縦断面図である。
【図４】図１の差込みプラグの平面図である。
【図５】アース端子コードを示す平面図である。
【図６】従来の差込みプラグを示す縦断面図である。
【考案を実施するための形態】
【００２０】
本考案の実施の形態について図面を参照しながら詳細に説明する。なお、図中同一または相当部分には同一符号を付してその説明は繰返さない。
【００２１】
はじめに、本実施の形態に係る差込みプラグ１の構成について説明する。
【００２２】
図１は、本考案の実施の形態に係る差込みプラグ１を示す斜視図である。図１を参照して、差込みプラグ１は、プラグ本体２と脱着可能なアース端子コード３とこれらを接続する連結手段を含む。連結手段については後述する。
【００２３】
図２、図３及び図４は、それぞれ差込みプラグ１の側面図、縦断面図及び平面図である。図１〜４を参照して、差込みプラグ１のプラグ本体２の構成について説明する。プラグ本体２は、ホルダ２０と電源ケーブル１０とを備える。そして、ホルダ２０の前面には、一対の電源端子刃１１ａ，１１ｂとアースピン１２が設けられている。電源端子刃１１ａ，１１ｂは、電源ケーブル１０から引出された電線１５ａ，１５ｂ（図示せず）にそれぞれ接続されている。電源ケーブル１０から引出されたアース線１４は、係止部１６を介してアースピン１２と外部接続端子２１に接続されている。この外部接続端子２１は、ホルダ２０の外周に形成された凹部２２に固定されている。凹部２２については後述する。
【００２４】
アースピン１２は、アースピン１２の取り付け端部の軸１７を支点に回動して折り曲げることにより、ホルダ２０の前面に形成された収納部１３に収納することができる。アースピン１２をこのような形状にすることで、接地極を有する電源コンセントでも、接地極を有さない通常の電源コンセントでもどちらにも使用可能である。
【００２５】
具体的には、コンセントに応じて、アースピン１２とアース端子コード３のどちらかを選択して使用することができる。接地極の穴が設けられているコンセントの場合は、アースピン１２を突出させた状態で使用することができる。これに対し、接地極の穴が設けられていないコンセントの場合は、アースピン１２を収納部１３に収納することで使用することができる。この場合、アースピン１２ではアースを取ることができないため、アース機能を有する部位にアース端子コード３のクリップ３２を接続させてアースを取ることが可能である。
【００２６】
次に、アース端子コード３を示す平面図である図５を用いて、アース端子コード３の構成について説明する。図５に示すように、アース端子コード３は、プラグ本体２と着脱可能な部材であり、コード３１の両端に接続端子３０とクリップ３２が接続されるものである。このアース端子コード３は、ホルダ２０の前面に配置されたアースピン１２を使用できないときに、アースを取るために使用するものである。
【００２７】
接続端子３０は、外部接続端子２１と接続する部分であり、Ｕ字状で形成される。このＵ字部分にネジを挟むことができる形状であるため、ネジ２３を少し緩めるだけで、ネジ２３を付けたままで接続端子３０を取り外しでき、アース端子コード３の取り外しが容易である。また、クリップ３２は、アース機能を有する部位などを挟むことで、後述する連結手段を介してホルダ２０内のアース線１４と電気的に接続する。これにより、アースピン１２を使用できないときにでもアースを取ることができる。
【００２８】
次に、連結手段について説明する。連結手段は、ホルダ２０の凹部２２内で、外部接続端子２１と接続端子３０をネジ２３で締め付けることにより接続するものである。ネジ２３は螺合するものであり、ドライバーなどで締め付け固定することができるものである。外部接続端子２１はホルダ２０内部のアース線１４と接続しているため、接続端子３０と外部接続端子２１とをネジ２３で締め付け固定することで、アース端子コード３はホルダ２０内のアース線１４と電気的に接続する。
【００２９】
ここで、凹部２２の形状と深さについて説明する。
【００３０】
凹部２２の形状は、ホルダ２０の後方に向かって開放される形状である。具体的には、凹部２２は、ホルダ２０の外周にあたる上部および後部が開放されて、前面と底面と対向する２つの側面により形成されている。したがって、外部接続端子２１と接続端子３０をネジ２３で締め付けて接続すると、接続端子３０のコード３１が電源ケーブル１０に沿って延びる形状となる。つまり、アース端子コード３は、この凹部２２の開放されている方向に沿って平行に延びる形状となるため、アース端子コード３の延びる方向がコンセントの差込み方向と直交せず、使用時にアース端子コード３が障害とならない。これによりアース端子コード３が他の部材に引っ掛からず、アース端子コード３がホルダ２０の根元から取れない。
【００３１】
また凹部２２の深さは、接続端子３０と外部接続端子２１をネジ２３で締め付けて接続したときに、ネジ２３の頂部２４が凹部２２内に収まるような深さである。そのため、凹部２２において接続端子３０と外部接続端子２１をネジ２３で螺合させて締め付けても、ネジ２３の頂部２４がホルダ２０の外周からはみ出るということはない。よって、使用時にネジ２３が引っかかることはなく、アース端子コード３が引っかかって根元から取れてしまうことはない。
【００３２】
プラグ本体２とアース端子コード３は着脱自在なので、アース端子コード３が破損した場合は、プラグ本体２のカバーを外し、ドライバーでネジ２３を外すことでアース端子コード３の付け替えが可能である。
【００３３】
なお、上記した実施の形態では、連結手段としてネジ２３を用いたが、これに限らず、ネジ２３を用いずに接続端子３０と外部接続端子２１を嵌め合うことで連結手段として接続してもよい。
【００３４】
また、上記した実施の形態では、アース端子コード３を電源ケーブル１０の方向に向かって沿わせたが、これに限らず、ホルダ２０の前面の方向に向かって沿うように接続してもよい。
【００３５】
また、上記した実施の形態では、アースピンを回動により収納するものを用いたが、これに限らず、突没自在に収納できるものや取り外しできるものでもよい。
【００３６】
あるいは、上記した実施の形態では、アース端子コード３としてクリップ３２を有するものを用いたが、これに限らず、引っ掛け型のものやドーナツ型、嵌め込み型など他の形状であってもよい。
【００３７】
また、上記した実施の形態では、アース端子コード３の接続端子３０としてＵ字形状のものを用いたが、これに限られず、穴が設けられているものなど他の形状であってもよい。
【００３８】
さらに、差込みプラグ１にカバーを装着することで、アース端子コード３がプラグ本体２から取れることを防ぐことも可能である。
【００３９】
以上、図面を参照してこの考案の実施形態を説明したが、この考案は、図示する実施形態のものに限定されない。図示された実施形態に対して、この考案と同一の範囲内において、あるいは均等の範囲内において、種々の修正や変形を加えることが可能である。
【符号の説明】
【００４０】
１  差込みプラグ、２  プラグ本体、３  アース端子コード、１０  電源ケーブル、１１ａ，１１ｂ  電源端子刃、１２  アースピン、１３  収納部、１４  アース線、１５ａ，１５ｂ  電線、１６  係止部、１７  軸、２０  ホルダ、２１  外部接続端子、２２  凹部、２３  ネジ、２４  頂部、３０  接続端子、３１  コード、３２  クリップ、１００  差込みプラグ、１１０  電源ケーブル、１１１  電源端子刃、１１２  アースピン、１１４  アース線、１１５  電線、１１６  係止部、１１７  軸、１２０  ホルダ、１２１  アース分岐コード。
【図１】
0003190664.tif 000003
【図２】
0003190664.tif 000004
【図３】
0003190664.tif 000005
【図４】
0003190664.tif 000006
【図５】
0003190664.tif 000007
【図６】
0003190664.tif 000008